(57)【要約】  より長いＤＲＸ周期をユーザ装置に設定するための仕組みが開示される。本発明の一態様は、ユーザ装置との無線通信を制御する通信制御部と、前記ユーザ装置による間欠受信（ＤＲＸ）を制御するＤＲＸ制御部とを有する基地局であって、前記ＤＲＸ制御部は、前記無線通信におけるシステムフレーム番号（ＳＦＮ）、サブフレーム番号及び前記ＳＦＮの周回の回数をカウントするハイパーＳＦＮ（ＨＳＦＮ）を管理し、前記ＨＳＦＮを用いて指定された受信期間を有する拡張ＤＲＸ（ｅＤＲＸ）を前記ユーザ装置に設定する基地局に関する。
2016158394.tif 000002
【特許請求の範囲】
【請求項１】
ユーザ装置との無線通信を制御する通信制御部と、
前記ユーザ装置による間欠受信（ＤＲＸ）を制御するＤＲＸ制御部と、
を有する基地局であって、
前記ＤＲＸ制御部は、前記無線通信におけるシステムフレーム番号（ＳＦＮ）、サブフレーム番号及び前記ＳＦＮの周回の回数をカウントするハイパーＳＦＮ（ＨＳＦＮ）を管理し、前記ＨＳＦＮを用いて指定された受信期間を有する拡張ＤＲＸ（ｅＤＲＸ）を前記ユーザ装置に設定する基地局。
【請求項２】
前記ＤＲＸ制御部は、前記ユーザ装置に設定した前記ｅＤＲＸの受信期間の周期及び始期に基づき、前記管理されているＨＳＦＮの値、ＳＦＮの値及びサブフレーム番号から算出されるサブフレームが前記受信期間に入ったか判断する、請求項１記載の基地局。
【請求項３】
前記ＤＲＸ制御部は、前記ユーザ装置に前記ｅＤＲＸを設定する際、前記ｅＤＲＸの受信期間の周期及び始期と前記管理されているＨＳＦＮの値とを前記ユーザ装置に通知する、請求項１又は２記載の基地局。
【請求項４】
前記ＤＲＸ制御部は、前記ＳＦＮの範囲内の値により表された前記ｅＤＲＸの受信期間の周期及び始期と、前記受信期間が属するＨＳＦＮを示す値とを前記ユーザ装置に通知する、請求項１乃至３何れか一項記載の基地局。
【請求項５】
前記ＤＲＸ制御部は、前記ＳＦＮが周回する直前の所定の期間では前記ｅＤＲＸを前記ユーザ装置に設定することを保留する、請求項１乃至４何れか一項記載の基地局。
【請求項６】
基地局との間で無線信号を送受信する送受信部と、
前記基地局から送信される無線信号を間欠受信するＤＲＸ部と、
を有するユーザ装置であって、
前記ＤＲＸ部は、前記基地局との無線通信におけるシステムフレーム番号（ＳＦＮ）、サブフレーム番号及び前記ＳＦＮの周回の回数をカウントするハイパーＳＦＮ（ＨＳＦＮ）を管理し、前記ＨＳＦＮを用いて指定された受信期間を有する拡張ＤＲＸ（ｅＤＲＸ）を起動するユーザ装置。
【請求項７】
前記ＤＲＸ部は、前記管理されているＨＳＦＮの値、ＳＦＮの値及びサブフレーム番号から算出されるサブフレームが、前記基地局により設定された前記ｅＤＲＸの受信期間の周期及び始期に従って設定された前記受信期間に入ると、前記基地局から送信される無線信号を間欠受信する、請求項６記載のユーザ装置。
【請求項８】
前記ＤＲＸ部は、前記基地局から前記ｅＤＲＸを設定するよう指示されると、前記ＨＳＦＮを所定の初期値に設定する、請求項６又は７記載のユーザ装置。
【請求項９】
前記ＤＲＸ部は、前記基地局から前記ｅＤＲＸを設定するよう指示されると、前記管理されているＨＳＦＮの値を前記基地局に通知する、請求項６又は７記載のユーザ装置。
【請求項１０】
前記送受信部は、当該ユーザ装置がサポートする前記ＨＳＦＮの最大値を能力情報として前記基地局に通知する、請求項６乃至９何れか一項記載のユーザ装置。
【発明の詳細な説明】
【技術分野】
【０００１】
本発明は、無線通信システムに関する。
【背景技術】
【０００２】
ＬＴＥ（Ｌｏｎｇ  Ｔｅｒｍ  Ｅｖｏｌｕｔｉｏｎ）システム及びＬＴＥ−Ａｄｖａｎｃｅｄシステムでは、ユーザ装置（Ｕｓｅｒ  Ｅｑｕｉｐｍｅｎｔ：ＵＥ）のバッテリセービングのため間欠受信（Ｄｉｓｃｏｎｔｉｎｕｏｕｓ  Ｒｅｃｅｐｔｉｏｎ：ＤＲＸ）制御が採用されている。ＬＴＥ規格では、ＤＲＸ制御は、アイドル状態のユーザ装置とＣｏｎｎｅｃｔｅｄ状態のユーザ装置とのそれぞれについて規定されている。何れの動作状態のＤＲＸにおいても、ユーザ装置はある一定の周期で基地局（ｅｖｏｌｖｅｄ  Ｎｏｄｅ  Ｂ：ｅＮＢ）から送信される無線信号を受信する受信期間を設定し、当該受信期間において、基地局はユーザ装置に無線信号を送信する。【０００３】
ＬＴＥシステム及びＬＴＥ−Ａｄｖａｎｃｅｄシステムでは、アイドル状態のユーザ装置は、以下のようにして、ＤＲＸ制御下において基地局からページングメッセージを受信する。ＬＴＥ規格では、ページングメッセージが送信されるサブフレームであるＰａｇｉｎｇ  Ｏｃｃａｓｉｏｎ（ＰＯ）と、Ｐａｇｉｎｇ  Ｏｃｃａｓｉｏｎを含みうる無線フレームであるＰａｇｉｎｇ  Ｆｒａｍｅ（ＰＦ）とが、以下の式に従ってユーザ装置と基地局との双方において決定される。すなわち、ＰＦのシステムフレーム番号（ＳＦＮ）は、
ＳＦＮ  ｍｏｄ  Ｔ＝（Ｔ  ｄｉｖ  Ｎ）＊（ＵＥ＿ＩＤ  ｍｏｄ  Ｎ）
により決定される。ここで、Ｔは、ページングメッセージを受信するためのユーザ装置のＤＲＸ周期であり、無線フレーム数により表される。Ｎは、ＴとｎＢ（ｎＢは、４Ｔ，２Ｔ，Ｔ，Ｔ／２，Ｔ／４，Ｔ／８，Ｔ／１６，Ｔ／３２から選択される値である）との最小値である。また、ＵＥ＿ＩＤは、
ＵＥ＿ＩＤ＝ＩＭＳＩ  ｍｏｄ  １０２４
により決定され、ここで、ＩＭＳＩは、当該ユーザ装置のＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）である。【０００４】
このようにして決定されたＰＦにおけるＰＯのサブフレーム番号は、以下の式に従って算出されるインデックスｉ＿ｓとパラメータＮｓとから、ＬＴＥ規格において規定されている対応テーブルを利用して決定される。【０００５】
ｉ＿ｓ＝ｆｌｏｏｒ（ＵＥ＿ＩＤ／Ｎ）ｍｏｄ  Ｎｓ
ここで、Ｎｓは、１とｎＢ／Ｔとの最大値である。【０００６】
このようにして、ＰＦ及びＰＯは、ユーザ装置と基地局との双方が認識しているユーザ装置の識別子（ＩＭＳＩ）から一意的に決定することができ、当該ＰＦに設定されるＰＯでは、アイドル状態のユーザ装置は、基地局からのページングメッセージの受信を待機する。このように決定された周期的なＰＦのＰＯにおいて基地局がページングメッセージを送信すると、ユーザ装置は、送信されたページングメッセージを受信することができる。【０００７】
一方、Ｃｏｎｎｅｃｔｅｄ状態のユーザ装置は、以下のようにして、ＤＲＸ制御下において基地局からＰＤＣＣＨ（Ｐｈｙｓｉｃａｌ  Ｄｏｗｎｌｉｎｋ  Ｃｏｎｔｒｏｌ  Ｃｈａｎｎｅｌ）を受信する。Ｃｏｎｎｅｃｔｅｄ状態のＤＲＸ制御では、ユーザ装置は、基地局からＰＤＣＣＨを受信するため通信回路を起動するアクティブ期間と、受信回路を起動しない非アクティブ期間との２つの状態により管理される。アクティブ状態では、ユーザ装置は、基地局からのＰＤＣＣＨを監視すると共に、フィードバック情報やＳＲＳ（Ｓｏｕｎｄｉｎｇ  Ｒｅｆｅｒｅｎｃｅ  Ｓｉｇｎａｌ）を送信する。当該フィードバック情報として、例えば、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＲＩ（Ｒａｎｋ  Ｉｎｄｉｃａｔｏｒ）、ＰＴＩ（Ｐｒｅｃｏｄｉｎｇ  Ｔｙｐｅ  Ｉｎｄｉｃａｔｏｒ）などがあげられる。一方、非アクティブ状態では、ユーザ装置は、基地局からのＰＤＣＣＨを監視せず、また、フィードバック情報及びＳＲＳも送信しない。【０００８】
ＬＴＥ規格では、当該アクティブ状態は、Ｏｎ  ｄｕｒａｔｉｏｎ  ｔｉｍｅｒ、ｄｒｘ−Ｉｎａｃｔｉｖｉｔｙ  ｔｉｍｅｒ、ｄｒｘ−Ｒｅｔｒａｎｓｍｉｓｓｉｏｎ  ｔｉｍｅｒ、ｍａｃ−ｃｏｎｔｅｎｔｉｏｎ  Ｒｅｓｏｌｕｔｉｏｎ  ｔｉｍｅｒの何れかが起動している場合、スケジューリングリクエストを送信した場合、アップリンクＨＡＲＱ再送のためのアップリンクグラントが割り当てられた場合、又は、ランダムアクセス（ＲＡ）レスポンスを受信し、その後に新規送信を指示するＰＤＣＣＨを受信していない場合として定義される。一方、ＤＲＸ制御における非アクティブ状態は、上述した場合以外として定義される。【０００９】
例えば、図１に示されるように、ｄｒｘ−Ｉｎａｃｔｉｖｉｔｙ  ｔｉｍｅｒが満了すると、ユーザ装置は、アクティブ状態から非アクティブ状態に移行し、その後にＤＲＸを起動する。図示されるように、ＤＲＸの起動中、ユーザ装置は、一定のＤＲＸ周期（ＤＲＸ  ｃｙｃｌｅ）によりアクティブ状態に遷移し、当該アクティブ状態の期間（Ｏｎ  ｄｕｒａｔｉｏｎ）において基地局からのＰＤＣＣＨの受信を試みる。【００１０】
また、図２に示されるように、基地局から当該ユーザ装置がＤＲＸを起動すべきことを示す状態制御情報を含むＤＲＸ  ＭＡＣ（Ｍｅｄｉｕｍ  Ａｃｃｅｓｓ  Ｃｏｎｔｒｏｌ）  ＣＥ（Ｃｏｎｔｒｏｌ  Ｅｌｅｍｅｎｔ）を受信すると、ｄｒｘ−Ｉｎａｃｔｉｖｉｔｙ  ｔｉｍｅｒは、当該ＤＲＸ  ＭＡＣ  ＣＥに従って停止される。この場合、図示されるように、ユーザ装置は、アクティブ状態から非アクティブ状態に移行し、その後にＤＲＸを起動する。図１と同様に、ＤＲＸの起動中、ユーザ装置は、一定のＤＲＸ周期によりアクティブ状態に遷移し、当該アクティブ状態の期間（Ｏｎ  ｄｕｒａｔｉｏｎ）において基地局からのＰＤＣＣＨの受信を試みる。【００１１】
一方、現在策定中の３ＧＰＰ  Ｒｅｌ−１３では、通信が頻繁には発生しないＭＴＣ（Ｍａｃｈｉｎｅ  Ｔｙｐｅ  Ｃｏｍｍｕｎｉｃａｔｉｏｎ）端末に対して、シグナリング量の増加と遅延とを伴うアイドル状態からアクティブ状態への移行を抑制するため、上述した現状のＤＲＸより長いＤＲＸ周期を適用したＤＲＸの導入が検討されている。具体的には、現状のＤＲＸ周期は最大２．５６秒まで設定可能であるが、これを５分以上に設定できるようにすること、すなわち、拡張ＤＲＸ（ｅｘｔｅｎｄｅｄ  ＤＲＸ：ｅＤＲＸ）が検討されている。また、当該拡張ＤＲＸは、上述した従来のアイドル状態のためのＤＲＸとＣｏｎｎｅｃｔｅｄ状態のＤＲＸとの双方に適用できることが望まれる。
【先行技術文献】
【非特許文献】
【００１２】
【非特許文献１】３ＧＰＰ  ＴＳ３６．３０４  Ｖ１２．４．０（２０１５−０３）
【非特許文献２】３ＧＰＰ  ＴＳ３６．３２１  Ｖ１２．５．０（２０１５−０３）
【非特許文献３】３ＧＰＰ  ＴＳ３６．３３１  Ｖ１２．５．０（２０１５−０３）
【非特許文献４】ＲＰ−１５０４９３
【発明の概要】
【発明が解決しようとする課題】
【００１３】
ＬＴＥ規格では、ユーザ装置は、基地局から通知されるＤＲＸの周期（ｌｏｎｇＤＲＸ−Ｃｙｃｌｅ）及び始期（ｌｏｎｇＤＲＸ−ＣｙｃｌｅＳｔａｒｔＯｆｆｓｅｔ）を規定するＤＲＸパラメータに従って、ＤＲＸの受信期間又はオン期間（Ｏｎ  ｄｕｒａｔｉｏｎ）を決定している。ここで、ＤＲＸ始期はＤＲＸ周期の長さに応じて範囲が規定されており、例えば、４０サブフレームのＤＲＸ周期に対しては、０〜３９番目のサブフレームから受信期間が設定可能であり、２５６０サブフレームのＤＲＸ周期に対しては、０〜２５５９番目のサブフレームから受信期間が設定可能である。基地局からこれらのＤＲＸパラメータが通知されると、ユーザ装置は、
［（ＳＦＮ＊１０）＋サブフレーム番号］ｍｏｄｕｌｏ（ｌｏｎｇＤＲＸ−Ｃｙｃｌｅ）＝ｄｒｘＳｔａｒｔＯｆｆｓｅｔ
となるサブフレームにおいてアクティブ状態に遷移する。【００１４】
しかしながら、１０個のサブフレーム（サブフレーム＃０〜＃９）からなる各無線フレーム（１０ｍｓ）を識別するＳＦＮは、０〜１０２３の値しかとらない。このため、ＤＲＸ周期は最大で１０２４０ｍｓしか設定できず、現状のＬＴＥ規格によると、５分などのより長いＤＲＸ周期を設定することはできない。【００１５】
上述した問題点に鑑み、本発明の課題は、より長いＤＲＸ周期をユーザ装置に設定するための仕組みを提供することである。
【課題を解決するための手段】
【００１６】
上記課題を解決するため、本発明の一態様は、ユーザ装置との無線通信を制御する通信制御部と、前記ユーザ装置による間欠受信（ＤＲＸ）を制御するＤＲＸ制御部とを有する基地局であって、前記ＤＲＸ制御部は、前記無線通信におけるシステムフレーム番号（ＳＦＮ）、サブフレーム番号及び前記ＳＦＮの周回の回数をカウントするハイパーＳＦＮ（ＨＳＦＮ）を管理し、前記ＨＳＦＮを用いて指定された受信期間を有する拡張ＤＲＸ（ｅＤＲＸ）を前記ユーザ装置に設定する基地局に関する。【００１７】
本発明の他の態様は、基地局との間で無線信号を送受信する送受信部と、前記基地局から送信される無線信号を間欠受信するＤＲＸ部とを有するユーザ装置であって、前記ＤＲＸ部は、前記基地局との無線通信におけるシステムフレーム番号（ＳＦＮ）、サブフレーム番号及び前記ＳＦＮの周回の回数をカウントするハイパーＳＦＮ（ＨＳＦＮ）を管理し、前記ＨＳＦＮを用いて指定された受信期間を有する拡張ＤＲＸ（ｅＤＲＸ）を起動するユーザ装置に関する。
【発明の効果】
【００１８】
本発明によると、より長いＤＲＸ周期をユーザ装置に設定することができる。
【図面の簡単な説明】
【００１９】
【図１】図１は、Ｃｏｎｎｅｃｔｅｄ状態からの一例となる間欠受信制御を示す概略図である。
【図２】図２は、Ｃｏｎｎｅｃｔｅｄ状態からの他の例となる間欠受信制御を示す概略図である。
【図３Ａ】図３Ａは、本発明の一実施例による無線通信システムを示す概略図である。
【図３Ｂ】図３Ｂは、本発明の一実施例による基地局のハードウェア構成を示すブロック図である。
【図３Ｃ】図３Ｃは、本発明の一実施例によるユーザ装置のハードウェア構成を示すブロック図である。
【図４】図４は、本発明の一実施例による基地局の構成を示すブロック図である。
【図５】図５は、ｅＮＢとＵＥとの間でＨＳＦＮの認識不一致が生じるケースを示す概略図である。
【図６】図６は、本発明の一実施例によるユーザ装置の構成を示すブロック図である。
【図７】図７は、本発明の一実施例によるｅＤＲＸ制御のシグナリング例を示す図である。
【図８】図８は、本発明の一実施例によるｅＤＲＸ制御のシグナリング例を示す図である。
【図９】図９は、本発明の一実施例によるｅＤＲＸ制御のシグナリング例を示す図である。
【発明を実施するための形態】
【００２０】
以下、図面に基づいて本発明の実施の形態を説明する。
【００２１】
以下の実施例では、従来の間欠受信（ＤＲＸ）、すなわち、システムフレーム番号（ＳＦＮ）の範囲内で設定される受信期間を有するＤＲＸを拡張した、より長いＤＲＸ周期を設定可能な拡張ＤＲＸ（ｅＤＲＸ）を実現する基地局及びユーザ装置が開示される。後述される実施例を概略すると、ＳＦＮの上位のカウンタとして、ＳＦＮの周回の回数をカウントするハイパーＳＦＮ（ＨＳＦＮ）が導入される。基地局及びユーザ装置は、従来のＤＲＸで用いられるＳＦＮ及びサブフレーム番号と共に当該ＨＳＦＮを管理し、ＨＳＦＮを用いてより長いＤＲＸ周期によるｅＤＲＸの受信期間を設定する。当該ＨＳＦＮを利用したｅＤＲＸによって、ＭＴＣ端末などの低頻度の通信しか必要としないユーザ装置の電力消費を低減することが可能になる。
【００２２】
図３Ａを参照して、本発明の一実施例による無線通信システムを説明する。図３Ａは、本発明の一実施例による無線通信システムを示す概略図である。
【００２３】
図３Ａに示されるように、無線通信システム１０は、基地局１００及びユーザ装置２００を有する。無線通信システム１０は、例えば、ＬＴＥシステム又はＬＴＥ−Ａｄｖａｎｃｅｄシステムである。図示された実施例では、１つの基地局１００しか示されていないが、無線通信システム１０のサービスエリアをカバーするよう多数の基地局１００が配置される。また、簡単化のため図示しないが、典型的には、ＭＭＥ（Ｍｏｂｉｌｉｔｙ  Ｍａｎａｇｅｍｅｎｔ  Ｅｎｔｉｔｙ）などの基地局１００の上位局が基地局１００に接続される。
【００２４】
基地局１００は、ユーザ装置２００と無線接続することによって、コアネットワーク（図示せず）上に通信接続された上位局やサーバから受信したダウンリンク（ＤＬ）パケットをユーザ装置２００に送信すると共に、ユーザ装置２００から受信したアップリンク（ＵＬ）パケットをサーバに送信する。本実施例では、基地局１００は、後述されるＨＳＦＮを利用した拡張ＤＲＸ（ｅＤＲＸ）機能を有する。
【００２５】
図３Ｂに示されるように、基地局１００は、典型的には、ユーザ装置２００との間で無線信号を送受信するためのアンテナ１０１、隣接する基地局と通信するための第１通信インタフェース（Ｘ２インタフェースなど）１０２、コアネットワークと通信するための第２通信インタフェース（Ｓ１インタフェースなど）１０３、ユーザ装置２００との送受信信号を処理するためのプロセッサ１０４や回路、メモリ装置１０５などのハードウェアリソースにより構成される。後述される基地局１００の各機能及び処理は、メモリ装置１０５に格納されているデータやプログラムをプロセッサ１０４が処理又は実行することによって実現されてもよい。しかしながら、基地局１００は、上述したハードウェア構成に限定されず、他の何れか適切なハードウェア構成を有してもよい。
【００２６】
ユーザ装置２００は、典型的には、スマートフォン、携帯電話、タブレット、モバイルルータ、ウェアラブル端末などの無線通信機能を備えた何れか適切な情報処理装置であってもよい。本実施例では、ユーザ装置２００は、後述されるＨＳＦＮを利用したｅＤＲＸ機能を有する。
【００２７】
図３Ｃに示されるように、ユーザ装置２００は、プロセッサなどのＣＰＵ（Ｃｅｎｔｒａｌ  Ｐｒｏｃｅｓｓｉｎｇ  Ｕｎｉｔ）２０１、ＲＡＭ（Ｒａｎｄｏｍ  Ａｃｃｅｓｓ  Ｍｅｍｏｒｙ）やフラッシュメモリなどのメモリ装置２０２、基地局１００との間で無線信号を送受信するための無線通信装置２０３、入出力装置や周辺装置などのユーザインタフェース２０４などから構成される。例えば、後述されるユーザ装置２００の各機能及び処理は、メモリ装置２０２に格納されているデータやプログラムをＣＰＵ２０１が処理又は実行することによって実現されてもよい。しかしながら、ユーザ装置２００は、上述したハードウェア構成に限定されず、後述する処理の１以上を実現する回路などにより構成されてもよい。
【００２８】
次に、図４〜５を参照して、本発明の一実施例による基地局によるｅＤＲＸ制御を説明する。図４は、本発明の一実施例による基地局の構成を示すブロック図である。
【００２９】
図４に示されるように、基地局１００は、通信制御部１１０及びＤＲＸ制御部１２０を有する。
【００３０】
通信制御部１１０は、ユーザ装置２００との無線通信を制御する。具体的には、ダウンリンク通信では、通信制御部１１０は、ＰＤＣＣＨ（Ｐｈｙｓｉｃａｌ  Ｄｏｗｎｌｉｎｋ  Ｃｏｎｔｒｏｌ  Ｃｈａｎｎｅｌ）などの制御チャネルやＰＤＳＣＨ（Ｐｈｙｓｉｃａｌ  Ｄｏｗｎｌｉｎｋ  Ｓｈａｒｅｄ  Ｃｈａｎｎｅｌ）などのデータチャネルをユーザ装置２００に送信する。また、アップリンク通信では、通信制御部１１０は、ＰＵＣＣＨ（Ｐｈｙｓｉｃａｌ  Ｕｐｌｉｎｋ  Ｃｏｎｔｒｏｌ  Ｃｈａｎｎｅｌ）などの制御チャネルやＰＵＳＣＨ（Ｐｈｙｓｉｃａｌ  Ｕｐｌｉｎｋ  Ｓｈａｒｅｄ  Ｃｈａｎｎｅｌ）などのデータチャネルを受信する。また、通信制御部１１０は、基地局１００のセルに在圏するユーザ装置２００にＭＩＢ（Ｍａｓｔｅｒ  Ｉｎｆｏｒｍａｔｉｏｎ  Ｂｌｏｃｋ）やＳＩＢ（Ｓｙｓｔｅｍ  Ｉｎｆｏｒｍａｔｉｏｎ  Ｂｌｏｃｋ）などの報知情報を送信する。
【００３１】
ＤＲＸ制御部１２０は、ユーザ装置２００による間欠受信（ＤＲＸ）を制御すると共に、無線通信におけるシステムフレーム番号（ＳＦＮ）、サブフレーム番号及び当該ＳＦＮの周回の回数をカウントするハイパーＳＦＮ（ＨＳＦＮ）を管理し、当該ＨＳＦＮを用いて指定された受信期間を有する拡張ＤＲＸ（ｅＤＲＸ）をユーザ装置２００に設定する。すなわち、ＤＲＸ制御部１２０は、無線通信の進捗に従ってＨＳＦＮ、ＳＦＮ及びサブフレーム番号を更新すると共に、当該ＨＳＦＮを利用してより長いＤＲＸ周期による拡張ＤＲＸ（ｅＤＲＸ）をユーザ装置２００に設定する。
【００３２】
本発明によるＨＳＦＮは、無線フレームをカウントするＳＦＮの上位のカウンタとして機能し、ＳＦＮが周回する毎に１だけインクリメントされる。ＬＴＥ規格では、無線フレームをカウントするＳＦＮは、０〜１０２３までの値をとり、１０２４個の無線フレームをカウントできる。ＳＦＮ＝１０２３に対応する無線フレームの次の無線フレームが出現すると、ＳＦＮは周回して０にリセットされると共に、ＨＳＦＮが１だけインクリメントされる。例えば、ＨＳＦＮ＝３及びＳＦＮ＝１０２３におけるサブフレーム＃９の次のサブフレームは、ＨＳＦＮ＝４及びＳＦＮ＝０におけるサブフレーム＃０となる。現在のＬＴＥ規格では、ＤＲＸの受信期間は、ＳＦＮ及びサブフレーム番号を用いて設定されるため、１０２４０個のサブフレーム、すなわち、１０２４０ｍｓの期間内でしか設定できない。しかしながら、このようなＨＳＦＮを利用してＤＲＸの受信期間を設定することによって、より長いＤＲＸ周期を有する拡張ＤＲＸ（ｅＤＲＸ）を設定することが可能になる。ｅＤＲＸを実現するためには、基地局１００とユーザ装置２００とのそれぞれが管理するＨＳＦＮ、ＳＦＮ及びサブフレーム番号の認識が一致している必要がある。このため、ＤＲＸ制御部１２０は、ｅＤＲＸを設定する際にｅＤＲＸの受信期間の周期（ｌｏｎｇＤＲＸ−Ｃｙｃｌｅ）及び始期（ｄｒｘＳｔａｒｔＯｆｆｓｅｔ）を通知すると共に、ＨＳＦＮ、ＳＦＮ及びサブフレーム番号の認識が一致するようにユーザ装置２００によるｅＤＲＸを制御する。
【００３３】
一実施例では、ＤＲＸ制御部１２０は、ユーザ装置２００に設定したｅＤＲＸの受信期間の周期及び始期に基づき、管理されているＨＳＦＮの値、ＳＦＮの値及びサブフレーム番号から算出されるサブフレームが当該受信期間に入ったか判断してもよい。一例として、ＤＲＸ制御部１２０は、
［（ＨＳＦＮ）＊１０２４０＋（ＳＦＮ＊１０）＋サブフレーム番号］ｍｏｄ（ｌｏｎｇＤＲＸ−Ｃｙｃｌｅ）＝ｄｒｘＳｔａｒｔＯｆｆｓｅｔ
となるサブフレームにおいて、ユーザ装置２００がアクティブ状態に遷移すると判断してもよい。当該タイミングにおいて、通信制御部１１０は、ユーザ装置２００にＰＤＣＣＨを送信したり、あるいは、ユーザ装置２００からのフィードバック情報やＳＲＳの受信を待機してもよい。
【００３４】
一実施例では、ＤＲＸ制御部１２０は、ユーザ装置２００にｅＤＲＸを設定する際、ｅＤＲＸの受信期間の周期及び始期と管理されているＨＳＦＮの値とをユーザ装置２００に通知してもよい。すなわち、基地局１００とユーザ装置２００との間でＨＳＦＮを同期させるため、ＤＲＸ制御部１２０は、管理しているＨＳＦＮの値をユーザ装置２００に明示的に通知してもよい。当該ＨＳＦＮの値は、ｅＤＲＸを設定するためのＲＲＣ（Ｒａｄｉｏ  Ｒｅｓｏｕｒｃｅ  Ｃｏｎｔｒｏｌ）メッセージにより通知されてもよい。基地局１００から当該ＨＳＦＮの値を受信すると、ユーザ装置２００は、受信したＨＳＦＮの値によって自らが管理するＨＳＦＮを初期化し、その後はＳＦＮが周回する毎にＨＳＦＮをインクリメントする。これにより、例えば、ユーザ装置２００にキャリアアグリゲーションが設定されている場合、ＤＲＸ制御部１２０は、セル単位でユーザ装置２００にＨＳＦＮを設定することが可能になり、ｅＤＲＸ制御をよりシンプルにすることができる。
【００３５】
一実施例では、ＤＲＸ制御部１２０は、ＳＦＮの範囲内の値により表されたｅＤＲＸの受信期間の周期及び始期と、当該受信期間が属するＨＳＦＮを示す値とをユーザ装置２００に通知してもよい。ＬＴＥ規格では、ＤＲＸ周期及び始期は、サブフレームを単位とする絶対値で通知される。しかしながら、長周期になったｅＤＲＸにおいて、ＤＲＸ周期及び始期を絶対値で管理及び通知した場合、基地局１００及びユーザ装置２００の実装が複雑になる可能性がある。このため、ｅＤＲＸにおけるＤＲＸ周期及び始期は、既存の絶対値によるＤＲＸ周期及び始期とＨＳＦＮの相対値との組み合わせによって通知されてもよい。すなわち、ＤＲＸ制御部１２０は、ｅＤＲＸの受信期間が属するＨＳＦＮ、具体的には、当該受信期間が現在のＨＳＦＮから何回インクリメントされたＨＳＦＮに属するかを示すＨＳＦＮの値と、インクリメントされたＨＳＦＮにおける何れのサブフレームから受信期間が始まるかを示すＤＲＸ周期及び始期、すなわち、従来のＤＲＸによる絶対値で表されたＤＲＸ周期及び始期とをユーザ装置２００に通知してもよい。特定のＨＳＦＮにおける１０２４０個のサブフレームは、現状のＬＴＥ規格におけるＳＦＮの範囲内の絶対値により表すことができる。このため、ＤＲＸ制御部１２０は、ＳＦＮの範囲内の絶対値と現在のＨＳＦＮからの相対値（インクリメント値）との組み合わせによって、ｅＤＲＸの受信期間を特定することができる。本実施例によると、ｅＤＲＸの受信期間をＨＳＦＮの範囲内の絶対値により表す直接的な表現方法と比較して、シグナリング量の増加を抑制できる。また、基地局１００及びユーザ装置２００がＨＳＦＮの範囲までサブフレームの絶対値をカウントする必要がなくなり、実装を簡素化できる。
【００３６】
一実施例では、ＤＲＸ制御部１２０は、ＳＦＮが周回する直前の所定の期間ではｅＤＲＸをユーザ装置２００に設定することを保留してもよい。上述したように、ｅＤＲＸ制御では、基地局１００とユーザ装置２００との間でＨＳＦＮの認識が一致している必要があるが、基地局１００がユーザ装置２００にｅＤＲＸを設定するタイミングによっては、基地局１００とユーザ装置２００との間でＨＳＦＮの認識不一致が生じる可能性がある。具体的には、図５に示されるように、ＤＲＸ制御部１２０が、ＳＦＮの周回の直前でｅＤＲＸを設定すると、ユーザ装置２００が周回直前のＨＳＦＮの値（ｘ）を設定したのか、あるいは、周回後のＨＳＦＮの値（ｘ＋１）を設定したのか判断できない可能性がある。例えば、図示されるように、通信制御部１１０が、ＨＳＦＮ＝ｘに属するサブフレームとＨＳＦＮ＝ｘ＋１に属するサブフレームとの境界の直前でｅＤＲＸを設定するためのＲＲＣメッセージをユーザ装置２００に送信し、ＨＳＦＮ＝ｘ＋１に属するサブフレームで当該ＲＲＣメッセージに対するＲＲＣ  ｃｏｍｐｌｅｔｅメッセージを受信したとする。この場合、ＤＲＸ制御部１２０は、ユーザ装置２００がｘとｘ＋１との何れの値をＨＳＦＮに使用しているか確信することができなくなる。ＨＳＦＮの認識不一致が生じた場合には、ユーザ装置２００は、基地局１００からのＰＤＣＣＨを受信することができなくなる。このようなＨＳＦＮの同期外れを回避するため、ＤＲＸ制御部１２０は、ＳＦＮが周回する直前の所定の期間ではｅＤＲＸの設定をしないようにしてもよい。なお、当該所定の期間は、ｅＤＲＸを設定するためのＲＲＣメッセージに対するＲＲＣ  ｃｏｍｐｌｅｔｅメッセージをユーザ装置２００から受信できると予想される期間であってもよい。本実施例によると、ユーザ装置２００に特別な制御をさせることなく、ＨＳＦＮの認識不一致が生じる可能性がある曖昧な期間（ａｍｂｉｇｕｉｔｙ  ｐｅｒｉｏｄ）の発生を回避することができる。
【００３７】
他の実施例では、通信制御部１１０は、管理されているＨＳＦＮの値を報知情報により通知してもよい。上述したように、基地局１００がユーザ装置２００にｅＤＲＸを設定するタイミングに起因したＨＳＦＮの同期外れを回避するため、通信制御部１１０は、管理されているＨＳＦＮの値を所定の報知情報に含め、ＤＲＸ制御部１２０が管理するＨＳＦＮの現在値をユーザ装置２００に通知してもよい。具体的には、基地局１００からｅＤＲＸを設定するよう指示されると、ユーザ装置２００は、通信制御部１１０から送信される所定の報知情報（ＭＩＢなど）を確認し、当該報知情報におけるＨＳＦＮの値により自らのＨＳＦＮを再設定してもよい。ユーザ装置２００は、通常は初期接続の際しかＭＩＢを確認しないが、ｅＤＲＸの設定指示を受信したときは常にＭＩＢを確認するようにしてもよい。なお、当該所定の報知情報は、ＳＦＮを有するＭＩＢであってもよいし、ＳＩＢであってもよい。
【００３８】
一実施例では、ＤＲＸ制御部１２０は、ユーザ装置２００にｅＤＲＸを設定する際、ＨＳＦＮの最大値をユーザ装置２００に通知してもよい。上述したように、ＨＳＦＮの値をＭＩＢで報知する場合、当該ＨＳＦＮの値は、ＭＩＢのｓｐａｒｅ  ｂｉｔの１０ビットを用いて通知されることになるであろう。この１０ビット全てをＨＳＦＮに利用した場合、ｅＤＲＸ周期は、最大で２２０＊１０ｍｓ（＝２．９１時間）まで表現可能となる。一方、このように長い周期のｅＤＲＸをサポートするには、より大きなカウンタが必要となり、実際に使用されるｅＤＲＸ周期の値と比較して過剰性能になるだけでなく、実装の複雑化を招くことなる。ＨＳＦＮが過剰に大きな値になることを回避するため、ＨＦＳＮの最大値が指定されてもよい。例えば、基地局１００が所定値より大きいＨＳＦＮに対応していない場合、ＤＲＸ制御部１２０は、ユーザ装置２００にｅＤＲＸを設定する際、当該所定値以下のＨＳＦＮの最大値を通知してもよい。当該最大値が通知されると、ユーザ装置２００は、自らのＨＳＦＮの最大値を設定し、ＨＳＦＮが最大値に到達すると、次のＳＦＮの周回時にはＨＳＦＮを周回してゼロにリセットすることになり、基地局１００とユーザ装置２００との間のＨＳＦＮの同期が実現される。なお、ＤＲＸ制御部１２０は、ＨＳＦＮの最下位ビット（ＬＳＢ）など、下位ビットのビット数により当該最大値を通知してもよい。
【００３９】
一実施例では、アイドル状態で基地局１００のセルに遷移したユーザ装置２００にページングチャネルを送信するよう上位ノードから指示される際、ＤＲＸ制御部１２０は、ユーザ装置２００にｅＤＲＸが設定されているか通知されてもよい。上述したように、ユーザ装置２００がアイドル状態にあるとき、基地局１００は、ＤＲＸ制御下においてユーザ装置２００にページングメッセージを送信する。典型的には、アイドル状態のユーザ装置２００は自律的に接続セルを変更する可能性がある。このため、ページングする際、ＤＲＸ制御部１２０は、ユーザ装置２００にｅＤＲＸが設定されているか、また、どのようなＤＲＸ周期及び始期が設定されているかを正しく認識する必要がある。例えば、ユーザ装置２００がセル再選択を実行する際、遷移先の基地局１００は、ページングの送信先となるユーザ装置２００にｅＤＲＸが設定されているか、又は通常のＤＲＸが設定されているか正しく認識する必要がある。このため、ページングに際して、ＭＭＥは、ユーザ装置２００にｅＤＲＸが設定されていることを基地局１００に通知してもよい。また、当該通知において、ＭＭＥは、ユーザ装置２００に設定されているＤＲＸ周期及び始期もまた通知してもよい。当該通知を受信すると、ＤＲＸ制御部１２０は、ユーザ装置２００にｅＤＲＸが設定されていることを認識することが可能になる。
【００４０】
一実施例では、通信制御部１１０は、基地局１００がｅＤＲＸをサポートしていることを報知情報により通知してもよい。上述したように、ユーザ装置２００がアイドル状態にあるとき、基地局１００は、ＤＲＸ制御下においてユーザ装置２００にページングメッセージを送信する。ｅＤＲＸが適用されているアイドル状態のユーザ装置２００が、ｅＤＲＸをサポートしていない基地局１００のセルへセル再選択した場合、遷移先の基地局１００は、ユーザ装置２００のアクティブ状態のタイミングを把握することができない。このため、基地局１００がｅＤＲＸをサポートする場合、通信制御部１１０は、当該基地局１００がｅＤＲＸをサポートしていることを報知情報において通知してもよい。この場合、ｅＤＲＸが設定されているユーザ装置２００は、セル再選択した際に報知情報を取得し、遷移先の基地局１００がｅＤＲＸをサポートしている場合には、ｅＤＲＸの適用を維持してもよい。他方、遷移先の基地局１００がｅＤＲＸをサポートしていない場合には、ユーザ装置２００は、ＳＦＮ及びサブフレーム番号に基づく従来のＤＲＸに従ってページングを受信するタイミングを決定してもよい。
【００４１】
他の実施例では、通信制御部１１０は、基地局１００とＨＳＦＮが同期しているセル又は基地局を報知情報により通知してもよい。上述したように、ユーザ装置２００がアイドル状態にあるとき、基地局１００は、ＤＲＸ制御下においてユーザ装置２００にページングメッセージを送信する。ユーザ装置２００が、基地局１００とＨＳＦＮに関して同期していない基地局又はセルに遷移した場合、ユーザ装置２００と遷移先の基地局との間でＨＳＦＮの認識不一致が生じる可能性がある。このため、通信制御部１１０は、当該基地局１００とＨＳＦＮが同期しているセル又は基地局を報知情報において通知してもよい。例えば、ＨＳＦＮが同期している隣接セル又は隣接基地局には、報知情報においてビット"１"を付与し、ＨＳＦＮが同期していない隣接セル又は隣接基地局には、報知情報においてビット"０"を付与してもよい。これにより、ユーザ装置２００は、遷移先の基地局と遷移元の基地局１００とが同期しているか判断することが可能になり、同期していない場合には、遷移先の基地局に接続して当該基地局のＨＳＦＮの値により自らのＨＳＦＮを更新することができる。
【００４２】
次に、図６を参照して、本発明の一実施例によるユーザ装置によるｅＤＲＸ処理を説明する。図６は、本発明の一実施例によるユーザ装置の構成を示すブロック図である。
【００４３】
図６に示されるように、ユーザ装置２００は、送受信部２１０及びＤＲＸ部２２０を有する。
【００４４】
送受信部２１０は、基地局２００との間で無線信号を送受信する。具体的には、ダウンリンク通信では、送受信部２１０は、基地局１００からＰＤＣＣＨやＰＤＳＣＨなどの各種ダウンリンクチャネルを受信する。一方、アップリンク通信では、送受信部２１０は、基地局１００にＰＵＣＣＨやＰＵＳＣＨなどの各種アップリンクチャネルを送信する。また、送受信部２１０は、基地局１００から送信されるＭＩＢやＳＩＢなどの報知情報を受信する。
【００４５】
ＤＲＸ部２２０は、基地局１００から送信される無線信号を間欠受信すると共に、基地局１００との無線通信におけるシステムフレーム番号（ＳＦＮ）、サブフレーム番号及び当該ＳＦＮの周回の回数をカウントするハイパーＳＦＮ（ＨＳＦＮ）を管理し、当該ＨＳＦＮを用いて指定された受信期間を有する拡張ＤＲＸ（ｅＤＲＸ）を起動する。すなわち、ＤＲＸ部２２０は、無線通信の進捗に従ってＨＳＦＮ、ＳＦＮ及びサブフレーム番号を更新すると共に、当該ＨＳＦＮを利用してより長いＤＲＸ周期による拡張ＤＲＸ（ｅＤＲＸ）を実行する。
【００４６】
本発明によるＨＳＦＮは、無線フレームをカウントするＳＦＮの上位のカウンタとして機能し、ＳＦＮが周回する毎に１だけインクリメントされる。ＬＴＥ規格では、無線フレームをカウントするＳＦＮは、０〜１０２３までの値をとり、１０２４個の無線フレームをカウントできる。ＳＦＮ＝１０２３に対応する無線フレームの次の無線フレームが出現すると、ＳＦＮは周回して０にリセットされると共に、ＨＳＦＮが１だけインクリメントされる。例えば、ＨＳＦＮ＝３及びＳＦＮ＝１０２３におけるサブフレーム＃９の次のサブフレームは、ＨＳＦＮ＝４及びＳＦＮ＝０におけるサブフレーム＃０となる。現在のＬＴＥ規格では、ＤＲＸの受信期間は、ＳＦＮ及びサブフレーム番号を用いて設定されるため、１０２４０個のサブフレーム、すなわち、１０２４０ｍｓの期間内でしか設定できない。しかしながら、ＨＳＦＮを利用してＤＲＸの受信期間を設定することによって、より長いＤＲＸ周期を有する拡張ＤＲＸ（ｅＤＲＸ）を設定することが可能になる。ｅＤＲＸを実現するためには、基地局１００とユーザ装置２００とのそれぞれが管理するＨＳＦＮ、ＳＦＮ及びサブフレーム番号の認識が一致している必要がある。このため、ＤＲＸ部２２０は、基地局１００からｅＤＲＸを設定するよう指示された際に受信したｅＤＲＸの受信期間の周期（ｌｏｎｇＤＲＸ−Ｃｙｃｌｅ）及び始期（ｄｒｘＳｔａｒｔＯｆｆｓｅｔ）と共に、管理されているＨＳＦＮ、ＳＦＮ及びサブフレーム番号に基づきｅＤＲＸを起動する。
【００４７】
一実施例では、ＤＲＸ部２２０は、管理されているＨＳＦＮの値、ＳＦＮの値及びサブフレーム番号から算出されるサブフレームが、基地局１００により設定されたｅＤＲＸの受信期間の周期及び始期に従って設定された当該受信期間に入ると、基地局１００から送信される無線信号を間欠受信してもよい。一例として、ＤＲＸ部２２０は、
［（ＨＳＦＮ）＊１０２４０＋（ＳＦＮ＊１０）＋サブフレーム番号］ｍｏｄ（ｌｏｎｇＤＲＸ−Ｃｙｃｌｅ）＝ｄｒｘＳｔａｒｔＯｆｆｓｅｔ
となるサブフレームにおいて、基地局１００からのＰＤＣＣＨの受信を試みてもよい。また、当該タイミングにおいて、送受信部２１０は、フィードバック情報やＳＲＳを基地局１００に送信してもよい。
【００４８】
一実施例では、ＤＲＸ部２２０は、基地局１００からｅＤＲＸを設定するよう指示されると、ＨＳＦＮを所定の初期値に設定してもよい。すなわち、基地局１００からｅＤＲＸを設定するためのＲＲＣメッセージを受信すると、ＤＲＸ部２２０は、ＨＳＦＮを基地局１００により予め設定された初期値に設定してもよい。これにより、基地局１００は、ＲＲＣメッセージにおいてＨＳＦＮを通知することなく、ユーザ装置２００のＨＳＦＮを認識することができ、シグナリング量を増加させることなくユーザ装置２００とＨＳＦＮを同期させることができる。ここで、所定の初期値は０であってもよいし、あるいは、ＭＩＢなどの報知情報により予め通知されてもよい。
【００４９】
一実施例では、ＤＲＸ部２２０は、基地局１００からｅＤＲＸを設定するよう指示されると、管理されているＨＳＦＮの値を基地局１００に通知してもよい。すなわち、ＤＲＸ部２２０は、ＨＳＦＮを自律的に管理し、基地局１００からｅＤＲＸを設定するよう指示されると、ＨＳＦＮの現在値を基地局１００に通知する。当該通知に基づき、基地局１００は、ユーザ装置２００のＨＳＦＮを認識することができ、ユーザ装置２００とＨＳＦＮを同期させることができる。例えば、ｅＤＲＸを設定する指示がＲＲＣ  ｃｏｎｎｅｃｔｉｏｎ  ｒｅｃｏｎｆｉｇｕｒａｔｉｏｎメッセージにより通知される場合、ＤＲＸ部２２０は、当該ＲＲＣ  ｃｏｎｎｅｃｔｉｏｎ  ｒｅｃｏｎｆｉｇｕｒａｔｉｏｎメッセージに対するＲＲＣ  ｃｏｎｎｅｃｔｉｏｎ  ｒｅｃｏｎｆｉｇｕｒａｔｉｏｎ  ｃｏｍｐｌｅｔｅメッセージによりＨＳＦＮの現在値を通知してもよい。
【００５０】
一実施例では、ＤＲＸ部２２０は、基地局１００からＨＳＦＮの値を取得すると、ｅＤＲＸの受信期間を計時するＯｎ  ｄｕｒａｔｉｏｎ  ｔｉｍｅｒ又は基地局１００からの直近の制御チャネルの受信からの経過時間を計時するＤＲＸ−Ｉｎａｃｔｉｖｉｔｙ  ｔｉｍｅｒが起動しているか判断し、Ｏｎ  ｄｕｒａｔｉｏｎ  ｔｉｍｅｒ又はＤＲＸ−Ｉｎａｃｔｉｖｉｔｙ  ｔｉｍｅｒを停止又は再起動してもよい。ＨＳＦＮの値を新規に取得する際、Ｏｎ  ｄｕｒａｔｉｏｎ  ｔｉｍｅｒの起動タイミングが変更される可能性がある。このため、報知情報又は個別信号によりＨＳＦＮを取得した時点で、Ｏｎ  ｄｕｒａｔｉｏｎ  ｔｉｍｅｒやｄｒｘ−Ｉｎａｃｔｉｖｉｔｙ  ｔｉｍｅｒが起動中である場合、ＤＲＸ部２２０は、これらを一旦停止するか、あるいは、再起動してもよい。また、当該タイマの停止は、新規の動作として個別に定義されてもよいし、ＭＡＣリセットのように既存の動作を流用することによって実現されてもよい。
【００５１】
一実施例では、ＤＲＸ部２２０は、ＳＦＮの範囲内の値により表されたｅＤＲＸの受信期間の周期及び始期と、当該受信期間が属するＨＳＦＮを示す値とに基づき受信期間を設定してもよい。ＬＴＥ規格では、ＤＲＸ周期及び始期は、サブフレームを単位とする絶対値で通知される。しかしながら、長周期になったｅＤＲＸにおいて、ＤＲＸ周期及び始期を絶対値で管理及び通知した場合、基地局１００及びユーザ装置２００の実装が複雑になる可能性がある。このため、ｅＤＲＸにおけるＤＲＸ周期及び始期は、既存の絶対値によるＤＲＸ周期及び始期とＨＳＦＮの相対値との組み合わせによって通知されてもよい。すなわち、基地局１００は、ｅＤＲＸの受信期間が属するＨＳＦＮ、具体的には、当該受信期間が現在のＨＳＦＮから何回インクリメントされたＨＳＦＮに属するかを示すＨＳＦＮの値と、当該受信期間がインクリメントされたＨＳＦＮにおける何れのサブフレームから始まるかを示す周期及び始期とをユーザ装置２００に通知してもよい。例えば、ＤＲＸ部２２０は、ＳＦＮの範囲内で表されたｅＤＲＸの受信期間の周期及び始期とＨＳＦＮの特定値ｎとを受信すると、まずＨＳＦＮを所定の初期値に設定する。その後、ＤＲＸ部２２０は、無線通信の進捗に従ってＨＳＦＮを（ｎ−１）までインクリメントする。ＨＳＦＮが（ｎ−１）になると、ＤＲＸ部２２０は、当該ＨＳＦＮにおけるサブフレームが通知されたＳＦＮの範囲内で表される受信期間に入ったか判断する。現在のサブフレームが当該受信期間に入ると、ＤＲＸ部２２０は、間欠受信を起動すると共にＨＦＳＮを初期値にリセットする。このようにして、ＤＲＸ部２２０は、ｅＤＲＸの受信期間をＳＦＮの範囲内の絶対値と、現在のＨＳＦＮからの相対値（インクリメント値）との組み合わせにより特定することができる。このため、ｅＤＲＸの受信期間をＨＳＦＮの範囲内の絶対値により表す直接的な表現方法と比較して、シグナリング量の増加を抑制できる。また、基地局１００及びユーザ装置２００がＨＳＦＮの範囲までサブフレームの絶対値をカウントする必要がなくなり、実装を簡素化できる。
【００５２】
一実施例では、ＤＲＸ部２２０は、基地局１００からｅＤＲＸを設定するよう指示されると、当該ｅＤＲＸについて設定したＨＳＦＮの値を基地局１００に通知してもよい。図５を参照して上述したように、基地局１００がユーザ装置２００にｅＤＲＸを設定するタイミングによっては、基地局１００とユーザ装置２００との間でＨＳＦＮの認識不一致が生じる可能性がある。このため、ＤＲＸ部２２０は、ＤＲＸ部２２０が当該ｅＤＲＸについて設定したＨＦＳＮの値を基地局１００に通知してもよい。これにより、ＨＳＦＮがインクリメントされる直前にはｅＤＲＸの設定を指示しないなど、基地局１００におけるスケジューリング制限を実行することなく、基地局１００とユーザ装置２００との間でＨＳＦＮの認識を一致させることが可能になる。当該ＨＳＦＮの値は、例えば、ＭＡＣ  ＣＥにより通知されてもよい。また、ＤＲＸ部２２０は、ＲＲＣ  ｃｏｎｎｅｃｔｉｏｎ  ｒｅｃｏｎｆｉｇｕｒａｔｉｏｎ  ｃｏｍｐｌｅｔｅメッセージと共に、ＰＵＳＣＨを送信する時点でＨＳＦＮの値を基地局１００に通知してもよい。これにより、基地局１００は、アップリンクグラントの送信時に遡って、ユーザ装置２００におけるＨＳＦＮの値を把握することが可能になる。
【００５３】
一実施例では、ＤＲＸ部は、基地局１００からｅＤＲＸを設定するよう指示されると、基地局１００からの報知情報からＨＳＦＮの値を取得し、取得したＨＳＦＮの値によって管理されているＨＦＳＮの値を設定してもよい。上述したように、基地局１００がユーザ装置２００にｅＤＲＸを設定するタイミングに起因したＨＳＦＮの同期外れを回避するため、基地局１００は、管理されているＨＳＦＮの値を所定の報知情報に含め、ユーザ装置２００にＨＳＦＮの現在値を通知してもよい。このとき、基地局１００からｅＤＲＸを設定するよう指示されると、ＤＲＸ部２２０は、基地局１００から送信される所定の報知情報（ＭＩＢなど）を確認し、当該報知情報におけるＨＳＦＮの値により自らのＨＳＦＮを再設定してもよい。ユーザ装置２００は、通常は初期接続の際しかＭＩＢを確認しないが、ｅＤＲＸの設定指示を受信したときは常にＭＩＢを確認するようにしてもよい。なお、当該所定の報知情報は、ＳＦＮを有するＭＩＢであってもよいし、ＳＩＢであってもよい。
【００５４】
一実施例では、ＤＲＸ部２２０は、基地局１００からＨＦＳＮの最大値を受信すると、ＨＳＦＮを最大値までインクリメントした後、ＨＳＦＮを周回させてもよい。すなわち、ＤＲＸ部２２０は、ＨＳＦＮが最大値に到達すると、次のＳＦＮの周回時にはＨＳＦＮを周回してゼロにリセットしてもよい。
【００５５】
一実施例では、送受信部２１０は、ユーザ装置２００がサポートするＨＳＦＮの最大値を能力情報として基地局１００に通知してもよい。例えば、ユーザ装置２００が所定値より大きいＨＳＦＮに対応していない場合、ＤＲＸ部２２０は、基地局１００に能力情報を通知する際、当該所定値以下のＨＳＦＮの最大値を通知してもよい。当該最大値が通知されると、基地局１００は、ユーザ装置２００のＨＳＦＮの最大値に応じたＤＲＸ周期及び始期を設定することが可能になる。また、当該能力情報は、基地局１００から能力情報の照会（ｃａｐａｂｉｌｉｔｙ  ｅｎｑｕｉｒｙなど）があったときにのみ通知されてもよい。
【００５６】
一実施例では、ユーザ装置２００がアイドル状態により基地局１００のセルに遷移すると、ＤＲＸ部２２０は、基地局１００から受信した報知情報に基づき基地局１００がｅＤＲＸをサポートしているか判断してもよい。上述したように、ユーザ装置２００がアイドル状態にあるとき、基地局１００は、ＤＲＸ制御下においてユーザ装置２００にページングメッセージを送信する。ｅＤＲＸが適用されているアイドル状態のユーザ装置２００が、ｅＤＲＸをサポートしていない基地局１００のセルへ遷移した場合、遷移先の基地局１００は、ユーザ装置２００のアクティブ状態のタイミングを把握することができない。このため、基地局１００がｅＤＲＸをサポートする場合、基地局１００は、当該基地局１００がｅＤＲＸをサポートしていることを報知情報において通知してもよい。この場合、ＤＲＸ部２２０は、セル再選択した際に報知情報を取得し、遷移先の基地局１００がｅＤＲＸをサポートしている場合には、ｅＤＲＸの適用を維持してもよい。他方、遷移先の基地局１００がｅＤＲＸをサポートしていない場合には、ＤＲＸ部２２０は、ＳＦＮ及びサブフレーム番号に基づく従来のＤＲＸに従ってページングを受信するタイミングを決定してもよい。
【００５７】
一実施例では、ユーザ装置２００がアイドル状態により基地局１００のセルに遷移すると、ＤＲＸ部２２０は、基地局１００から受信した報知情報に基づき遷移先の基地局がＨＳＦＮについて遷移元の基地局と同期しているか判断し、遷移先の基地局１００がＨＳＦＮについて遷移元の基地局と同期していない場合、遷移先の基地局１００により管理されているＨＳＦＮの値を取得するため、遷移先の基地局１００に接続してもよい。上述したように、ユーザ装置２００がアイドル状態にあるとき、基地局１００は、ＤＲＸ制御下においてユーザ装置２００にページングメッセージを送信する。ユーザ装置２００が、ＨＳＦＮに関して同期していない基地局１００又はセルに遷移した場合、ユーザ装置２００と遷移先の基地局１００との間でＨＳＦＮの認識不一致が生じる可能性がある。ＤＲＸ部２２０は、取得した報知情報に基づき遷移先の基地局１００と遷移元の基地局とが同期しているか判断し、同期していないと判断した場合、ユーザ装置２００は、遷移先の基地局１００に接続し、当該基地局１００のＨＳＦＮの値により自らのＨＳＦＮを更新することができる。
【００５８】
次に、図７〜９を参照して、本発明の一実施例によるｅＤＲＸ制御のシグナリングを説明する。
【００５９】
図７は、本発明の一実施例によるｅＤＲＸ制御のシグナリング例を示す図である。基地局１００は、図示されるようなデータ構造のシグナリングによってユーザ装置２００にｅＤＲＸを設定する。ｅＤＲＸのＤＲＸ周期及び始期は、"ＥｘｔｌｏｎｇＤＲＸ−ＣｙｃｌｅＳｔａｒｔＯｆｆｓｅｔ"により指示される。"ＥｘｔｌｏｎｇＤＲＸ−ＣｙｃｌｅＳｔａｒｔＯｆｆｓｅｔ"は、"ＥｘｔＬｏｎｇＤＲＸ−Ｃｏｅｆｆ"と、"ｄｒｘＳｔａｒｔＯｆｆｓｅｔ"とから構成されてもよい。ここで、ｅＤＲＸ周期は、１０２４０＊ＥｘｔＬｏｎｇＤＲＸ−Ｃｏｅｆｆにより導出されてもよい。また、ＳＦＮの範囲内の値により表されたｅＤＲＸの受信期間の周期及び始期と、当該受信期間が属するＨＳＦＮを示す値とに基づき受信期間が設定される場合、ＳＦＮの範囲内の値により表されたｅＤＲＸの受信期間の周期及び始期はそれぞれ、"ｌｏｎｇＤＲＸ−Ｃｙｃｌｅ"及び"ｄｒｘＳｔａｒｔＯｆｆｓｅｔ"により通知され、受信期間が属するＨＳＦＮを示す値は、"ＥｘｔＬｏｎｇＤＲＸ−Ｃｏｅｆｆ"により通知されてもよい。
【００６０】
図８は、本発明の一実施例によるｅＤＲＸ制御のシグナリング例を示す図である。基地局１００は、図示されるようなデータ構造のシグナリングによって、アイドル状態のユーザ装置２００にページングを通知してもよい。ここで、ページングフレーム（ＰＦ）は、
ＳＦＮ  ｍｏｄ  Ｔ＝（Ｔ  ｄｉｖ  Ｎ）＊（ＵＥ＿ＩＤ  ｍｏｄ  Ｎ）、又は
（Ｙ×ＳＦＮ）ｍｏｄ  Ｔ＝（Ｔ  ｄｉｖ  Ｎ）＊（ＵＥ＿ＩＤ  ｍｏｄ  Ｎ）  ｆｏｒ  ０≦Ｙ≦（Ｅｃ−１）  （拡張ページングサイクル係数が上位レイヤにより設定される場合）
により決定されてもよい。ここで、Ｔは、ページングメッセージを受信するためのユーザ装置のＤＲＸ周期であり、無線フレーム数により表される。Ｎは、ＴとｎＢ（ｎＢは、４Ｔ，２Ｔ，Ｔ，Ｔ／２，Ｔ／４，Ｔ／８，Ｔ／１６，Ｔ／３２から選択される値である）との最小値である。また、ＵＥ＿ＩＤは、
ＵＥ＿ＩＤ＝ＩＭＳＩ  ｍｏｄ  １０２４、又は
ＩＭＳＩ  ｍｏｄ（１０２４×Ｅｃ）  （拡張ページングサイクル係数が上位レイヤにより設定される場合）
により決定され、ここで、ＩＭＳＩは、当該ユーザ装置のＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）である。また、Ｅｃは、Ｔを導出するのに用いられる拡張ページングサイクル係数であり、当該拡張ページングサイクル係数が上位レイヤにより設定されている場合、ＤＲＸサイクルは１０２４×Ｅｃにより導出されてもよい。
【００６１】
図９は、本発明の一実施例によるｅＤＲＸ制御のシグナリング例を示す図である。基地局１００は、図示されるようなデータ構造のシグナリングによって、拡張ページングサイクルをサポートするユーザ装置２００にページングに必要な情報を通知する。
【００６２】
以上、本発明の実施例について詳述したが、本発明は上述した特定の実施形態に限定されるものではなく、特許請求の範囲に記載された本発明の要旨の範囲内において、種々の変形・変更が可能である。
【００６３】
本出願は、２０１５年４月３日に出願した日本国特許出願２０１５−０７７２２６号の優先権の利益に基づき、これを主張するものであり、２０１５−０７７２２６号の全内容を本出願に援用する。
【符号の説明】
【００６４】
１０  無線通信システム
１００  基地局
１１０  通信制御部
１２０  ＤＲＸ制御部
２００  ユーザ装置
２１０  送受信部
２２０  ＤＲＸ部
【図１】
2016158394.tif 000003
【図２】
2016158394.tif 000004
【図３Ａ】
2016158394.tif 000005
【図３Ｂ】
2016158394.tif 000006
【図３Ｃ】
2016158394.tif 000007
【図４】
2016158394.tif 000008
【図５】
2016158394.tif 000009
【図６】
2016158394.tif 000010
【図７】
2016158394.tif 000011
【図８】
2016158394.tif 000012
【図９】
2016158394.tif 000013
【国際調査報告】
2016158394.tif 000014
2016158394.tif 000015
2016158394.tif 000016
2016158394.tif 000017